(57)【要約】      （修正有）【課題】購入者の身体サイズに合った商品を容易に選択することを可能にする、商品選択支援装置を提供する。【解決手段】商品選択支援装置のカメラは、被写体を撮影し、前記被写体の画像を表す画像データを出力する（Ｓ１）。サイズ検出部は、前記画像データから前記被写体の画像における特定部位のサイズである被写体サイズを検出する（Ｓ２）。検索部は、それぞれ商品の特定部位のサイズを表す商品サイズデータおよび商品識別情報を含む複数の商品データの中から前記被写体サイズに対応する前記商品サイズデータを含む購入候補データを検索する（Ｓ５）。表示制御部は、前記購入候補データを表示装置に表示させる（Ｓ６）。【選択図】図２
2018169965.tif 000002
【特許請求の範囲】
【請求項１】
被写体を撮影し、前記被写体の画像を表す画像データを出力するカメラと、
前記画像データから前記被写体の画像における特定部位のサイズである被写体サイズを検出するサイズ検出部と、
それぞれ商品の特定部位のサイズを表す商品サイズデータおよび商品識別情報を含む複数の商品データの中から前記被写体サイズに対応する前記商品サイズデータを含む購入候補データを検索する検索部と、
前記購入候補データを表示装置に表示させる表示制御部と、を備える商品選択支援装置。
【請求項２】
商品の一部または全部の形状を模擬する商品見本の形状を表す見本形状データを予め記憶する不揮発性の記憶部から、前記見本形状データを取得する見本形状データ取得部と、
前記見本形状データが表す形状を、前記購入候補データに含まれる前記商品サイズデータに応じてサイズ調整し、サイズ調整された形状を表す見本画像のデータを生成する見本画像データ生成部と、をさらに備える請求項１に記載の商品選択支援装置。
【請求項３】
前記見本画像のデータに基づいて、シートから前記見本画像の形状に沿う部分を切り出すシートカッティング装置をさらに備える、請求項２に記載の商品選択支援装置。
【請求項４】
前記見本形状データは、連結されることによって前記商品見本を成す複数の分割部形状を表すデータを含み、
前記見本画像データ生成部は、前記複数の分割部形状それぞれを前記購入候補データに含まれる前記商品サイズデータに応じてサイズ調整し、サイズ調整された前記複数の分割部形状に、前記複数の分割部形状を連結する部分の形状である連結部形状が付加された形状を表す前記見本画像のデータを生成する、請求項２または請求項３に記載の商品選択支援装置。
【請求項５】
前記見本画像データ生成部は、前記購入候補データに含まれる前記商品識別情報を表す画像が一部に合成された前記見本画像のデータを生成する、請求項２から請求項４のいずれか１項に記載の商品選択支援装置。
【請求項６】
前記見本画像データ生成部は、予め設定された広告情報を表す画像が一部に合成された前記見本画像のデータを生成する、請求項２から請求項５のいずれか１項に記載の商品選択支援装置。
【請求項７】
操作部に対する操作に従ってサイズ余裕度の情報を入力する余裕度入力部をさらに備え、
前記検索部は、前記複数の商品データの中から前記被写体サイズを前記サイズ余裕度に従って補正したサイズに対応する前記商品サイズデータを含む前記購入候補データを検索可能である、請求項１から請求項６のいずれか１項に記載の商品選択支援装置。
【発明の詳細な説明】
【技術分野】
【０００１】
本発明は、商品選択支援装置に関する。
【背景技術】
【０００２】
一般に、洋服、靴、メガネまたはその他の装飾品などの商品を購入する者は、購入の候補となる商品を試着した上で、気に入った商品を購入する場合が多い。
【０００３】
また、コンピューターが、購入者の身体の写真画像に商品の画像が合成された試着身体画像を表示装置に表示させることにより、仮想的な試着を行うことが知られている（例えば、特許文献１参照）。
【先行技術文献】
【特許文献】
【０００４】
【特許文献１】特開２０１３−５０９３７号公報
【発明の概要】
【発明が解決しようとする課題】
【０００５】
ところで、商品の試着において、前記購入候補の商品が購入者の身体のサイズに合っているかどうかを確認することも重要である。そのため、商品を試着する前に、多数の商品の中から、購入者の身体のサイズに一応合っていると考えられるいくつかの商品を、購入候補の商品として選択することが必要である。
【０００６】
しかしながら、前記購入者の身長、胸囲およびウエストなどの詳細な身体サイズを、計測器具を用いて計測し、多数の商品の中から計測結果に対応する商品を探し出す作業は繁雑である。
【０００７】
また、コンピューターが、複数の商品データのデータベースにアクセスし、前記計測結果に対応する商品データを検索する場合であっても、前記身体サイズを計測し、前記計測結果を前記コンピューターに入力する作業が手間である。
【０００８】
本発明の目的は、購入者の身体サイズに合った商品を容易に選択することを可能にする商品選択支援装置を提供することにある。
【課題を解決するための手段】
【０００９】
本発明の一の局面に係る商品選択支援装置は、カメラと、サイズ検出部と、検索部と、表示制御部と、を備える。前記カメラは、被写体を撮影し、前記被写体の画像を表す画像データを出力する。前記サイズ検出部は、前記画像データから前記被写体の画像における特定部位のサイズである被写体サイズを検出する。前記検索部は、それぞれ商品の特定部位のサイズを表す商品サイズデータおよび商品識別情報を含む複数の商品データの中から前記被写体サイズに対応する前記商品サイズデータを含む購入候補データを検索する。前記表示制御部は、前記購入候補データを表示装置に表示させる。
【発明の効果】
【００１０】
本発明によれば、購入者の身体サイズに合った商品を容易に選択することを可能にする商品選択支援装置を提供することが可能になる。
【図面の簡単な説明】
【００１１】
【図１】図１は、実施形態に係る商品選択支援装置のブロック図である。
【図２】図２は、実施形態に係る商品選択支援装置における商品選択処理の手順の一例を示すフローチャートである。
【図３】図３は、実施形態に係る商品選択支援装置における試着商品が選択される前の仮想試着画面の一例を示す図である。
【図４】図４は、実施形態に係る商品選択支援装置における試着商品が選択された後の仮想試着画面の一例を示す図である。
【図５】図５は、実施形態に係る商品選択支援装置が参照する見本形状データが表す複数の拡張分割部形状の一例を示す図である。
【図６】図６は、実施形態に係る商品選択支援装置によりシートに印刷された見本画像の一例を示す図である。
【図７】図７は、実施形態に係る商品選択支援装置によって得られる複数の分割柔軟シートの一例を示す図である。
【図８】図８は、実施形態に係る商品選択支援装置によって得られる複数の分割柔軟シートが連結されることによって構成される商品見本の一例を示す斜視図である。
【図９】図９は、商品データの構成の一例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［商品選択支援装置１０の構成］
商品選択支援装置１０は、洋服、靴、メガネまたはその他の装飾品などの商品を選択し購入するユーザーを支援する装置である。
【００１４】
図１に示されるように、商品選択支援装置１０は、コンピューター１とカメラ２とプリンター３とを備える。
【００１５】
コンピューター１は、例えばパーソナルコンピューターなどであり、情報処理装置の一例である。コンピューター１は、ＣＰＵ（Central Processing Unit）１１、ＲＡＭ（Rondom Access Memory）１２、二次記憶部１３、ユーザーＩ／Ｆ（Interface）１４および通信Ｉ／Ｆ１５などを備える。
【００１６】
ＣＰＵ１１は、各種の演算およびデータ処理を実行するプロセッサーである。ＲＡＭ１２は、ＣＰＵ１１が実行するプログラムを一時記憶する揮発性のコンピューター読み取り可能な主記憶部である。
【００１７】
二次記憶部１３は、ＣＰＵ１１が参照する各種データおよびプログラムを記憶する不揮発性のコンピューター読取可能な記憶装置である。また、二次記憶部１３は、ＣＰＵ１１がデータの読み取りおよび書き込みが可能な記憶装置でもある。例えば、二次記憶部１３がフラッシュメモリーなどであることが考えられる。
【００１８】
ユーザーインターフェイス１４は、操作部１４ａおよび表示部１４ｂを含む。操作部１４ａは、前記ユーザーの操作に従って情報を入力するデバイスであり、例えばタッチパネルおよび操作ボタンなどを含む。表示部１４ｂは、情報を画像として表示する二次元表示デバイスであり、例えば液晶表示パネルなどである。
【００１９】
ＣＰＵ１１は、ＵＩ制御プログラムＰｒ０を実行することにより、ユーザーインターフェイス１４の操作部１４ａおよび表示部１４ｂを制御する。
【００２０】
通信Ｉ／Ｆ１５は、ＬＡＮ１０１ａおよびインターネット１０１ｂなどの通信回線１０１を通じて他装置との間でデータの送受信を行う装置である。さらに、通信Ｉ／Ｆ１５は、バス１００を通じてＣＰＵ１１とデータの受け渡しを行う。
【００２１】
例えば、ＣＰＵ１１は、画像データを含む印刷ジョブデータを通信Ｉ／Ｆ１５を通じてプリンター３に送信する。また、ＣＰＵ１１は、通信Ｉ／Ｆ１５を通じて、通信回線１０１に接続されたデータサーバー８にアクセス可能である。
【００２２】
データサーバー８の記憶装置は、複数の商品データＤｐ０を含む商品データベースを予め記憶している。ＣＰＵ１１は、通信Ｉ／Ｆ１５および通信回線１０１を通じてデータサーバー８の前記データベースにアクセスする。
【００２３】
図９に示されるように、複数の商品データＤｐ０は、それぞれ商品コードデータＤｐ０１、商品名データＤｐ０２、商品サイズデータＤｐ０３、商品の画像を表す商品画像データＤｐ０４、画像の縮小率Ｄｐ０５および商品属性データＤｐ０６などを含む。商品コードデータＤｐ０１は、商品識別情報の一例である。
【００２４】
商品サイズデータＤｐ０３は、商品における予め定められた１つまたは複数の特定部位のサイズを表す情報である。例えば、商品が上着である場合、商品サイズデータＤｐ０３は、肩幅、袖丈、胸囲、胴囲、着丈、首回り寸法および腕周り寸法などのデータを含む。
【００２５】
また、縮小率Ｄｐ０５は、商品の実サイズに対する商品画像データＤｐ０４が表す画像の縮小率である。商品属性データＤｐ０６が、例えば商品の種類、性能、色、用途および材質などを含むことが考えられる。
【００２６】
カメラ２は、被写体９０を撮影し、被写体９０の画像を表す画像データである撮影画像データＤｉ０を出力する。例えば、被写体９０は、前記ユーザーの身体の一部または全部である。また、被写体９０が、ペットなどの前記ユーザーの所有物の一部または全部であることも考えられる。
【００２７】
プリンター３は、コンピューター１から受信した前記印刷ジョブに含まれる画像データに基づく画像をシート９に形成する印刷処理を実行する装置である。
【００２８】
後述するように、コンピューター１は、被写体９０の写真画像に商品の画像が合成された試着画像Ｉｍ２を表示部１４ｂに表示させる仮想試着処理を実行可能である（図４参照）。これにより、前記ユーザーは、購入候補の商品が被写体９０に似合うか否かを容易に確認することができる。また、店頭に用意されていない商品の試着も可能である。
【００２９】
ところで、商品の試着において、前記購入候補の商品が購入者等の身体のサイズに合っているかどうかを確認することも重要である。そのため、商品を試着する前に、多数の商品の中から、購入者等の身体のサイズに一応合っていると考えられるいくつかの商品を、前記購入候補の商品として選択することが必要である。
【００３０】
しかしながら、前記購入者等の身長、胸囲およびウエストなどの詳細な身体サイズを、計測器具を用いて計測し、多数の商品の中から計測結果に対応する商品を探し出す作業は繁雑である。
【００３１】
また、コンピューター１が、複数の商品データＤｐ０のデータベースにアクセスし、前記計測結果に対応する商品データＤｐ０を検索する場合であっても、前記身体サイズを計測し、前記計測結果をコンピューター１に入力する作業が手間である。
【００３２】
商品選択支援装置１０は、購入者等の身体サイズに合った商品を容易に選択することを可能にするため、後述する商品選択処理を実行する。商品選択支援装置１０は、前記商品選択処理において用いるシートカッティング装置４を備える。
【００３３】
シートカッティング装置４は、コンピューター１から画像データを受信し、受信した画像データが表す画像から切り出し形状を検出し、シート９を前記切り出し形状に沿って切る装置である。例えば、シートカッティング装置４が、周知のカッティングプロッターなどであることが考えられる。
【００３４】
具体的には、シートカッティング装置４は、受信した画像データが表す画像の輪郭形状を切り出し形状として自動検出することができる。また、シートカッティング装置４は、受信した画像データが表す画像から予め設定された色の線を抽出し、抽出した線に沿う形状を前記切り出し形状として自動検出することも可能である。
【００３５】
［商品選択処理］
以下、図２に示されるフローチャートを参照しつつ、前記商品選択処理の手順の一例について説明する。以下の説明において、Ｓ１，Ｓ２，…は、前記商品選択処理における工程の識別符号を表す。
【００３６】
＜工程Ｓ１＞
前記商品選択処理において、人体または動物の身体などの被写体９０の画像が、カメラ２によって撮影される。これにより、被写体９０の画像を表す撮影画像データＤｉ０が、カメラ２から通信回線１０１を通じてコンピューター１のＣＰＵ１１へ伝送される。以下の説明において、撮影画像データＤｉ０における被写体９０の画像のことを被写体画像Ｉｍ０と称する（図３参照）。
【００３７】
例えば、工程Ｓ１において、被写体９０の正面および側面が、カメラ２によって撮影される。この場合、撮影画像データＤｉ０は、被写体９０の正面画像のデータおよび側面画像のデータを含む。
【００３８】
工程Ｓ１において、被写体９０がカメラ２に対して予め定められた基準距離を隔てた状態で、被写体９０の撮影が実行されることが考えられる。これにより、撮影画像データＤｉ０における被写体画像Ｉｍ０のサイズを、前記基準距離に応じて定まる換算係数を用いて被写体９０の実際のサイズに換算することができる。
【００３９】
また、工程Ｓ１において、カメラ２が、それぞれカメラ２から同じ距離の位置に配置された被写体９０およびサイズ基準部材を撮影することも考えられる。前記サイズ基準部材は、サイズが既知の部材である。この場合、撮影画像データＤｉ０における前記サイズ基準部材の画像のサイズと前記サイズ基準部材の実際のサイズとに基づいて、前記換算係数を算出することができる。さらに、被写体画像Ｉｍ０のサイズを、前記換算係数を用いて被写体９０の実際のサイズに換算することができる。
【００４０】
＜工程Ｓ２＞
次に、ＣＰＵ１１が、撮影画像データＤｉ０から被写体画像Ｉｍ０における特定部位のサイズである被写体サイズを検出する。
【００４１】
ＣＰＵ１１は、サイズ検出プログラムＰｒ１を実行することにより、工程Ｓ２の処理を実現する。工程Ｓ２の処理を実行するＣＰＵ１１がサイズ検出部の一例である。
【００４２】
前記被検体サイズが、被写体９０の身長、肩幅、腕の長さ、腕周り寸法、胸囲、胴囲、首周り寸法、足の長さおよび太股周り寸法などを含むことが考えられる。
【００４３】
また、ＣＰＵ１１が、予め定められた部位判定ルールに従って、前記被写体サイズの検出の対象となる特定部位の位置を自動判定することが考えられる。また、ＣＰＵ１１が、被写体画像Ｉｍ０を表示部１４ｂに表示させ、操作部１４ａに対する操作に従って、前記特定部位の位置を設定することも考えられる。
【００４４】
また、ＣＰＵ１１が、立体的部分のサイズを、前記正面画像から検出した幅と、前記
側面画像から検出した厚みとを予め定められた換算式に適用することによって算出することが考えられる。前記立体的部分のサイズは、例えば、前記腕周り寸法、前記胸囲、前記胴囲、前記首周り寸法および前記太股周り寸法などである。
【００４５】
＜工程Ｓ３＞
次に、ＣＰＵ１１は、表示部１４ｂに検索条件入力画面を表示させた上で、操作部１４ａに対する操作に従って商品の検索条件を入力する処理を実行する。
【００４６】
ＣＰＵ１１は、検索条件入力プログラムＰｒ２を実行することにより、工程Ｓ３の処理を実現する。
【００４７】
前記検索条件は、例えば、商品属性データＤｐ０６の一部である種類および色などを指定する情報を含む。さらに、本実施形態において、前記検索条件は、サイズ余裕度の情報を含む。前記サイズ余裕度は、被写体９０に商品を装着させた場合におけるサイズの余裕度を表す情報である。
【００４８】
例えば、前記サイズ余裕度の情報が、ピッタリ、標準およびゆったりなどのように、予め定められた複数段階の余裕度から選択される情報であることが考えられる。
【００４９】
また、前記検索条件の一部として設定される商品の種類が、工程Ｓ１において撮影された被写体９０が身につけている物の一部と同種であることが考えられる。この場合、前記サイズ余裕度は、工程Ｓ１において撮影された被写体９０が身につけている物を基準にして設定される。即ち、工程Ｓ１において撮影された被写体９０が身につけている物のサイズの余裕度が前記標準に相当する。
【００５０】
なお、工程Ｓ３において、前記サイズ余裕度の情報を入力する処理を実行するＣＰＵ１１が、余裕度入力部の一例である。
【００５１】
＜工程Ｓ４＞
次に、ＣＰＵ１１は、工程Ｓ２で検出された前記被写体サイズを工程Ｓ３で設定された前記サイズ余裕度に応じて補正し、補正後のサイズを検索サイズとして設定する。前記検索サイズは、前記検索条件の一部である。
【００５２】
例えば、前記サイズ余裕度が前記ピッタリである場合、ＣＰＵ１１は、工程Ｓ２で検出された前記被写体サイズを、予め定められた縮小係数を適用することによって縮小補正する。同様に、前記サイズ余裕度が前記ゆったりである場合、ＣＰＵ１１は、工程Ｓ２で検出された前記被写体サイズを、予め定められた拡大係数を適用することによって拡大補正する。一方、前記サイズ余裕度が前記標準である場合、ＣＰＵ１１は、工程Ｓ２で検出された前記被写体サイズを補正しない。
【００５３】
＜工程Ｓ５＞
次に、ＣＰＵ１１は、データサーバー８の前記データベースにアクセスし、複数の商品データＤｐ０の中から、工程Ｓ３，Ｓ４で設定された前記検索条件を満たす１つまたは複数のデータを検索し、取得する。以下、この検索により得られるデータのことを購入候補データＤｐ１と称する。
【００５４】
購入候補データＤｐ１は、前記被写体サイズに対応する前記検索サイズの条件を満たす商品サイズデータＤｐ０３を含む。工程Ｓ４において前記被検体サイズが前記サイズ余裕度に応じて補正された場合、購入候補データＤｐ１は、補正後の前記被写体サイズに対応する商品サイズデータＤｐ０３を含む。
【００５５】
ＣＰＵ１１は、検索プログラムＰｒ３を実行することにより、工程Ｓ５の処理を実現する。工程Ｓ５の処理を実行するＣＰＵ１１が検索部の一例である。
【００５６】
＜工程Ｓ６＞
次に、ＣＰＵ１１は、データサーバー８から取得した１つまたは複数の購入候補データＤｐ１の少なくとも一部を表示部１４ｂに表示させる。ＣＰＵ１１は、ＵＩ制御プログラムＰｒ０を実行することによって工程Ｓ６の処理を実現する。工程Ｓ６の処理を実行するＣＰＵ１１は表示制御部の一例である。
【００５７】
図３は、ＣＰＵ１１が工程Ｓ６において表示部１４ｂに表示させる仮想試着画面ｇ０の一例である。仮想試着画面ｇ０は、被写体画像Ｉｍ０と、候補商品画像Ｉｍ１とを含む。候補商品画像Ｉｍ１は、購入候補データＤｐ１の一部である商品画像データＤｐ０４が表す画像である。
【００５８】
図３において、複数の候補商品画像Ｉｍ１が、それぞれ仮想試着の対象とする商品を選択する操作を受け付ける複数の商品選択アイコンｇ１として表示部１４ｂに表示されている。
【００５９】
さらに、仮想試着画面ｇ０は、条件変更アイコンｇ２を含む。条件変更アイコンｇ２は、前記検索条件を変更する処理へ移行する操作を受け付けるアイコンである。
【００６０】
＜工程Ｓ７＞
次に、ＣＰＵ１１は、操作部１４ａに対する操作に従って、次の処理を選択する。具体的には、仮想試着画面ｇ０の条件変更アイコンｇ２が操作された場合、ＣＰＵ１１は、処理を前述の工程Ｓ３へ移行させる。なお、ＣＰＵ１１は、ＵＩ制御プログラムＰｒ０を実行することによって工程Ｓ７の処理を実現する。
【００６１】
一方、仮想試着画面ｇ０の商品選択アイコンｇ１が操作された場合、ＣＰＵ１１は、処理を次の工程Ｓ８へ移行させる。以下の説明において、操作された商品選択アイコンｇ１に対応する候補商品画像Ｉｍ１のことを選択商品画像Ｉｍ１０と称する。また、操作された商品選択アイコンｇ１に対応する商品のことを選択商品と称する。
【００６２】
＜工程Ｓ８＞
工程Ｓ８において、ＣＰＵ１１は、表示部１４ｂに試着画像Ｉｍ２を表示させる（図４参照）。試着画像Ｉｍ２は、被写体画像Ｉｍ０に選択商品画像Ｉｍ１０が合成された画像である。また、試着画像Ｉｍ２は、被写体９０が前記選択商品を試着した状態を表す画像である。
【００６３】
ＣＰＵ１１は、前記選択商品に対応する種類に応じて被写体画像Ｉｍ０における特定部位を判定する。さらに、ＣＰＵ１１は、選択商品画像Ｉｍ１０を被写体画像Ｉｍ０における前記判定した部位に重ねて合成する。
【００６４】
また、ＣＰＵ１１は、前記被写体サイズの検出に用いた前記換算係数と、前記選択商品に対応する縮小率Ｄｐ０５とに基づいて画像サイズ調整率を算出する。そして、ＣＰＵ１１は、前記選択商品に対応する商品画像データＤｐ０４の画像を、前記画像サイズ調整率に従って調整したサイズで、被写体画像Ｉｍ０に合成する。
【００６５】
また、商品選択アイコンｇ１が操作された場合、ＣＰＵ１１は、仮想試着画面ｇ０に見本作成アイコンｇ３および確定アイコンｇ４をさらに表示させる（図４参照）。なお、ＣＰＵ１１は、ＵＩ制御プログラムＰｒ０を実行することによって工程Ｓ８の処理を実現する。
【００６６】
＜工程Ｓ９＞
次に、ＣＰＵ１１は、操作部１４ａに対する操作に従って、次の処理を選択する。具体的には、仮想試着画面ｇ０の条件変更アイコンｇ２が操作された場合、ＣＰＵ１１は、処理を前述の工程Ｓ３へ移行させる。なお、ＣＰＵ１１は、ＵＩ制御プログラムＰｒ０を実行することによって工程Ｓ９の処理を実現する。
【００６７】
また、仮想試着画面ｇ０の商品選択アイコンｇ１が操作された場合、ＣＰＵ１１は、処理を前述の工程Ｓ８へ移行させる。この場合、新たに選択された前記選択商品について、工程Ｓ８の処理が実行される。
【００６８】
また、仮想試着画面ｇ０の確定アイコンｇ４が操作された場合、ＣＰＵ１１は、処理を後述する工程Ｓ１５へ移行させる。なお、確定アイコンｇ４は、商品の選択を確定し、受注処理へ進めるためのアイコンである。
【００６９】
また、仮想試着画面ｇ０の見本作成アイコンｇ３が操作された場合、ＣＰＵ１１は、処理を次の工程Ｓ１０へ移行させる。なお、ＣＰＵ１１は、仮想試着プログラムＰｒ４を実行することにより、工程Ｓ６〜Ｓ９の処理を実現する。
【００７０】
＜工程Ｓ１０＞
工程Ｓ１０において、ＣＰＵ１１は、二次記憶部１３から選択見本形状データを取得する。前記選択見本形状データは、予め二次記憶部１３に記憶されている複数の見本形状データＤｓ０のうち、前記選択商品の種類に対応する１つである。
【００７１】
複数の見本形状データＤｓ０は、それぞれ商品の種類を識別する情報に対応付けられて二次記憶部１３に記憶されている。例えば、長袖上着に関する見本形状データＤｓ０は、前記長袖上着の代表的な形状を表すデータである。
【００７２】
複数の見本形状データＤｓ０は、それぞれ商品見本９ｙの形状を表すデータである。図８に示されるように、商品見本９ｙは、商品の一部または全部の形状を模擬する物である。商品見本９ｙは、１枚のシート部材または複数枚のシート部材の組み合わせによって構成される。
【００７３】
図８に示される商品見本９ｙは、長袖上着における首周り部分、胸回りの部分および両袖の部分の形状を模擬している。
【００７４】
本実施形態において、見本形状データＤｓ０は、連結されることによって商品見本９ｙを成す複数の分割部形状Ｆ０を表すデータを含む（図５参照）。図５に示される例は、見本形状データＤｓ０が、複数の分割部形状Ｆ０に連結部形状Ｆ１が付加された複数の拡張分割部形状Ｆ００を表すデータである場合の例である。連結部形状Ｆ１は、複数の分割部形状Ｆ０を連結する部分の形状である。
【００７５】
複数の分割部形状Ｆ０は、商品見本９ｙの形状が複数に分割された形状である。複数の分割部形状Ｆ０は、商品見本９ｙの実物サイズに相当するサイズで表されたときに、少なくともプリンター３およびシートカッティング装置４が処理可能な最大のシートサイズに収まるサイズで形成されている。
【００７６】
さらに、見本形状データＤｓ０は、連結部形状Ｆ１の部分と分割部形状Ｆ０における連結部形状Ｆ１と連結される部分との対応関係を表す連結識別符号Ｃｄ０の情報も含む。
【００７７】
なお、図５に示される３つの拡張分割部形状Ｆ００は、図８に示される商品見本９ｙ全体の形状を構成する複数の拡張分割部形状Ｆ００のうちの一部である。
【００７８】
工程Ｓ１０において、ＣＰＵ１１が、前記選択商品に対応する種類に応じて、複数の見本形状データＤｓ０の中から前記選択見本形状データを自動的に選択することが考えられる。また、ＣＰＵ１１が、操作部１４ａに対する操作に従って、複数の見本形状データＤｓ０の中から前記選択見本形状データを選択することも考えられる。
【００７９】
ＣＰＵ１１は、見本形状データ取得プログラムＰｒ５を実行することにより、工程Ｓ１０の処理を実現する。工程Ｓ１０の処理を実行するＣＰＵ１１が見本形状データ取得部の一例である。
【００８０】
＜工程Ｓ１１＞
次に、ＣＰＵ１１は、前記選択見本形状データが表す形状を、前記選択商品に対応する購入候補データＤｐ１に含まれる商品サイズデータＤｐ０３に応じてサイズ調整し、サイズ調整された形状を表す見本画像Ｉｍ３のデータを生成する（図６参照）。
【００８１】
ＣＰＵ１１は、見本画像データ生成プログラムＰｒ６を実行することにより、工程Ｓ１１の処理を実現する。工程Ｓ１１の処理を実行するＣＰＵ１１が見本画像データ生成部の一例である。
【００８２】
ＣＰＵ１１は、複数の分割部形状Ｆ０それぞれを購入候補データＤｐ１に含まれる商品サイズデータＤｐ０３に応じてサイズ調整し、サイズ調整された複数の分割部形状Ｆ０に連結部形状Ｆ１が付加された形状を表す見本画像Ｉｍ３のデータを生成する（図６参照）。
【００８３】
本実施形態において、ＣＰＵ１１は、複数の分割部形状Ｆ０に連結部形状Ｆ１が付加された複数の拡張分割部形状Ｆ００それぞれを商品サイズデータＤｐ０３に応じてサイズ調整することにより、見本画像Ｉｍ３のデータを生成する。これにより、サイズ調整された複数の分割部形状Ｆ０に連結部形状Ｆ１が付加された形状を表す見本画像Ｉｍ３のデータが生成される。
【００８４】
なお、見本形状データＤｓ０に連結部形状Ｆ１のデータが含まれていないことも考えられる。この場合、ＣＰＵ１１が、見本画像Ｉｍ３のデータを生成する際に、複数の分割部形状Ｆ０に連結部形状Ｆ１を付加する処理を実行する。
【００８５】
さらに、見本画像Ｉｍ３のデータは、連結部形状Ｆ１の部分と分割部形状Ｆ０における連結部形状Ｆ１と連結される部分との対応関係を表す連結識別符号Ｃｄ０の情報も含む。
【００８６】
また、工程Ｓ１１において、ＣＰＵ１１は、前記選択商品に対応する購入候補データＤｐ１に含まれる商品コードデータＤｐ０１を表す商品コード画像Ｉｍ３１が一部に合成された見本画像Ｉｍ３のデータを生成する（図６参照）。例えば、商品コード画像Ｉｍ３１がＱＲコード（登録商標）またはバーコードなどであることが考えられる。
【００８７】
＜工程Ｓ１２＞
次に、ＣＰＵ１１は、見本画像Ｉｍ３のデータを含む前記印刷ジョブデータをプリンター３に送信する。これにより、ＣＰＵ１１は、シート９に見本画像Ｉｍ３を形成する印刷処理をプリンター３に実行させる。
【００８８】
ＣＰＵ１１は、印刷制御プログラムＰｒ７を実行することにより、工程Ｓ１２の処理を実現する。
【００８９】
商品見本９ｙが洋服などのように柔軟に変形可能な商品の見本である場合、シート９が、二重構造シートであることが考えられる。前記二重構造シートは、台紙と台紙に対して剥がすことが可能に貼付された柔軟シートとを含む。この場合、プリンター３は、前記柔軟シートに対して見本画像Ｉｍ３を形成する。
【００９０】
＜工程Ｓ１３＞
次に、ＣＰＵ１１は、操作部１４ａに対して予め定められたカッティング開始操作が行われるか否かを監視する。ユーザーは、プリンター３によって見本画像Ｉｍ３が形成されたシート９をシートカッティング装置４にセットした上で、操作部１４ａに対して前記カッティング開始操作を行う。
【００９１】
＜工程Ｓ１４＞
前記カッティング開始操作が操作部１４ａに対して行われると、ＣＰＵ１１は、見本画像Ｉｍ３のデータとカッティング開始指令とをシートカッティング装置４に送信する。これにより、シートカッティング装置４は、見本画像Ｉｍ３のデータに基づいて、シート９から見本画像Ｉｍ３の形状に沿う部分を切り出す。
【００９２】
ＣＰＵ１１は、工程Ｓ１４の処理を実行した後、処理を前述した工程Ｓ８へ移行させる。これにより、前述の工程Ｓ８以降の処理が繰り返される。なお、ＣＰＵ１１は、カッティング制御プログラムＰｒ８を実行することにより、工程Ｓ１４の処理を実現する。
【００９３】
工程Ｓ１４の処理によってシート９から切り出された見本画像Ｉｍ３の形状のシート部材は、それぞれ拡張分割部形状Ｆ００で形成された複数の分割シート部材である。前記複数の分割シート部材から、前記台紙が除去されることにより、それぞれ拡張分割部形状Ｆ００で形成された複数の分割柔軟シート９ｘが得られる（図７参照）。
【００９４】
そして、図７に示されるような複数の分割柔軟シート９ｘが、連結部形状Ｆ１で連結されることにより、図８に示されるような商品見本９ｙが構成される。商品見本９ｙは、前記選択商品の実際のサイズに相当するサイズで形成されている。
【００９５】
従って、被写体９０である装着者が商品見本９ｙを試着することにより、前記装着者は、前記選択商品のサイズが前記装着者のサイズにフィットしているかどうかを実感することができる。
【００９６】
なお、図８に示される商品見本９ｙは、前記選択商品の一例である長袖上着の胴囲から下の部分が省略された形状を有している。しかしながら、商品見本９ｙが、前記選択商品の全体の形状を表す物であってもよい。
【００９７】
また、商品見本９ｙが、例えば前記選択商品である前記長袖上着の胸囲の部分または腕周りの部分などに対応するシンプルな輪状のシート部材であることも考えられる。この場合、シートカッティング装置４が帯状のシート部材を切り出し、その帯状のシート部材の両端部が連結されることにより、商品見本９ｙが得られる。
【００９８】
＜工程Ｓ１５＞
また、仮想試着画面ｇ０の確定アイコンｇ４が操作された場合、ＣＰＵ１１は、前記選択商品についての受注処理を実行する。ＣＰＵ１１は、工程Ｓ１５の処理を実行した後、前記商品選択処理を終了させる。
【００９９】
ＣＰＵ１１は、受注プログラムＰｒ９を実行することにより、工程Ｓ１５の処理を実現する。例えば、ＣＰＵ１１は、カメラ２で撮影された商品コード画像Ｉｍ３１のデータを入力し、商品コード画像Ｉｍ３１が表す商品コードデータＤｐ０１に基づいて発注処理を実行する。
【０１００】
商品選択支援装置１０が採用されれば、被写体９０の身長、胸囲およびウエストなどの詳細な身体サイズを、計測器具を用いて計測し、多数の商品の中から計測結果に対応する商品を探し出すなどの煩雑な作業は不要である。また、前記身体サイズを計測し、前記計測結果をコンピューター１に入力する作業も不要である。
【０１０１】
そして、ＣＰＵ１１は、複数の商品データＤｐ０の中から前記被写体サイズに対応する商品サイズデータＤｐ０３を含む購入候補データＤｐ１を検索する（図２の工程Ｓ５）。従って、商品選択支援装置１０が採用されれば、購入者の身体サイズに合った商品を容易に選択することが可能になる。
【０１０２】
また、図２の工程Ｓ１１において、ＣＰＵ１１が、サイズ調整された形状を表す見本画像Ｉｍ３のデータを生成する。このような見本画像Ｉｍ３がシート９に形成され、シート９から見本画像Ｉｍ３の形状に沿う部分が切り出されることにより、シート状の商品見本９ｙが得られる（図７参照）。
【０１０３】
前記購入者は、商品見本９ｙを試着することにより、購入候補データＤｐ１に対応する商品のサイズが自身の体サイズに合っているか否かを容易に、かつ、確実に確認することができる。
【０１０４】
また、本実施形態において、見本形状データＤｓ０は、それぞれ１枚のシートに収まるサイズの複数の分割部形状Ｆ０を表すデータを含む。そして、複数の分割部形状Ｆ０それぞれが商品サイズデータＤｐ０３に応じてサイズ調整され、サイズ調整された複数の分割部形状Ｆ０に、連結部形状Ｆ１が付加された形状を表す見本画像Ｉｍ３のデータが生成される。
【０１０５】
従って、一般的なプリンター３およびシートカッティング装置４を用いて、それぞれ商品見本９ｙの部品を成す複数の分割シートを作成することができる（図７参照）。複数の分割柔軟シート９ｘは、前記複数の分割シートの一例である。そして、前記複数の分割シートがつなぎ合わされることにより、商品見本９ｙを作ることができる。
【０１０６】
また、図７に示される見本画像Ｉｍ３は、購入候補データＤｐ１に含まれる商品コードデータＤｐ０１を表す商品コード画像Ｉｍ３１が一部に合成された画像である。これにより、前記購入者が試着した商品見本９ｙと購入候補データＤｐ１との対応関係を容易に把握することができる。
【０１０７】
例えば、店員が前記購入者から商品見本９ｙを受け取った場合に、前記店員は、受け取った商品見本９ｙに記録されている商品コード画像Ｉｍ３１に基づいて、受け取った商品見本９ｙに対応する商品についての受注手続を速やかに、かつ、間違いなく行うことができる。
【０１０８】
また、撮影画像データＤｉ０に基づく前記被写体サイズは、ピッタリ、標準またはゆったりなどの前記サイズ余裕度に応じて補正される（工程Ｓ４）。そして、補正後の前記被写体サイズに対応する購入候補データＤｐ１の検索が可能である。そのため、前記購入者の好みの前記サイズ余裕度に応じた購入候補データＤｐ１を検索することが可能である。
【０１０９】
[応用例]
図２の工程Ｓ１１において、ＣＰＵ１１が、予め設定された広告情報を表す画像が一部に合成された見本画像Ｉｍ３のデータを生成することも考えられる。このような工程Ｓ１１の処理を実行するＣＰＵ１１も、前記見本画像データ生成部の一例である。
【０１１０】
前記広告情報を含む見本画像Ｉｍ３が出力されることにより、見本画像Ｉｍ３をシート９に形成する費用を広告主に負担させることなどが可能になる。
【０１１１】
また、図２の工程Ｓ１において、被写体９０と既知の基準サイズの比較体とがカメラ２によって撮影されることが考えられる。この場合、図２の工程Ｓ２において、ＣＰＵ１１が、前記比較体の画像のサイズに対する被写体画像Ｉｍ０のサイズの比に応じて、前記被写体サイズを検出することが考えられる。
【０１１２】
なお、本発明に係る商品選択支援装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１１３】
１        ：コンピューター
２        ：カメラ
３        ：プリンター
４        ：シートカッティング装置
８        ：データサーバー
９        ：シート
９ｘ      ：分割柔軟シート
９ｙ      ：商品見本
１０      ：商品選択支援装置
１１      ：ＣＰＵ
１２      ：ＲＡＭ
１３      ：二次記憶部
１４      ：ユーザーインターフェイス
１４ａ    ：操作部
１４ｂ    ：表示部
１５      ：通信Ｉ／Ｆ
９０      ：被写体
１００    ：バス
１０１    ：通信回線
１０１ｂ  ：インターネット
Ｃｄ０    ：連結識別符号
Ｄｉ０    ：撮影画像データ
Ｄｐ０    ：商品データ
Ｄｐ０１  ：商品コードデータ（商品識別情報）
Ｄｐ０２  ：商品名データ
Ｄｐ０３  ：商品サイズデータ
Ｄｐ０４  ：商品画像データ
Ｄｐ０５  ：縮小率
Ｄｐ０６  ：商品属性データ
Ｄｐ１    ：購入候補データ
Ｄｓ０    ：見本形状データ
Ｆ０      ：分割部形状
Ｆ００    ：拡張分割部形状
Ｆ１      ：連結部形状
Ｉｍ０    ：被写体画像
Ｉｍ１    ：候補商品画像
Ｉｍ１０  ：選択商品画像
Ｉｍ２    ：試着画像
Ｉｍ３    ：見本画像
Ｉｍ３１  ：商品コード画像
Ｐｒ０    ：ＵＩ制御プログラム
Ｐｒ１    ：サイズ検出プログラム
Ｐｒ２    ：検索条件入力プログラム
Ｐｒ３    ：検索プログラム
Ｐｒ４    ：仮想試着プログラム
Ｐｒ５    ：見本形状データ取得プログラム
Ｐｒ６    ：見本画像データ生成プログラム
Ｐｒ７    ：印刷制御プログラム
Ｐｒ８    ：カッティング制御プログラム
Ｐｒ９    ：受注プログラム
ｇ０      ：仮想試着画面
ｇ１      ：商品選択アイコン
ｇ２      ：条件変更アイコン
ｇ３      ：見本作成アイコン
ｇ４      ：確定アイコン
【図１】
2018169965.tif 000003
【図２】
2018169965.tif 000004
【図３】
2018169965.tif 000005
【図４】
2018169965.tif 000006
【図５】
2018169965.tif 000007
【図６】
2018169965.tif 000008
【図７】
2018169965.tif 000009
【図８】
2018169965.tif 000010
【図９】
2018169965.tif 000011